(57)【要約】      （修正有）【課題】第１の面及び第２の面を有するコアを含む光ファイバを使用する双方向ＨＤＣＰベースデータ伝送装置を提供する。【解決手段】双方向ＨＤＣＰベースデータ伝送装置は、順方向伝送モジュール及び逆方向伝送モジュールを含む。順方向伝送モジュールは、駆動されているとき、少なくとも２つの順方向光信号を光ファイバのコアの第１の端部に放射するために使用される。その後、少なくとも２つの順方向光信号は即座に光ファイバを介して送信される。逆方向伝送モジュールは、駆動されているとき、光ファイバを介して送信された少なくとも２つの順方向光信号を受信し、少なくとも１つの逆方向光信号を光ファイバのコアの第２の端部に放射するために使用される。次に、逆方向光信号は光ファイバを介して即座に送信され、順方向伝送モジュールは、光ファイバを介して送信された少なくとも１つの逆方向光信号も受信する。【選択図】図１
2009105886.tif 000002
【特許請求の範囲】
【請求項１】
第１の面及び第２の面を有するコアを備える光ファイバを使用する双方向ＨＤＣＰベースデータ伝送装置であって、
前記光ファイバの前記コアの前記第１の面に光学的に結合され、駆動されているとき、ＨＤＣＰデータに関連する少なくとも２つの順方向光信号を前記コアの前記第１の面に放射する順方向伝送モジュールであって、前記少なくとも２つの順方向光信号は、次に、前記光ファイバを介して送信される、順方向伝送モジュールと、
前記光ファイバの前記コアの前記第２の面に光学的に結合され、駆動されているとき、前記光ファイバを介して送信された前記少なくとも２つの順方向光信号を受信し、少なくとも１つの逆方向光信号を前記コアの前記第２の面に放射する逆方向伝送モジュールであって、前記少なくとも１つの逆方向光信号は、次に、前記光ファイバを介して送信され、前記順方向伝送モジュールは、前記光ファイバを介して送信される前記少なくとも１つの逆方向光信号も受信し、前記少なくとも１つの逆方向光信号は、前記ＨＤＣＰデータに対する保護方式光信号を含む、逆方向伝送モジュールと、
を備える双方向ＨＤＣＰベースデータ伝送装置。
【請求項２】
前記少なくとも２つの順方向光信号は、第１の順方向光信号及び第２の順方向光信号を含み、前記順方向伝送モジュールは、
前記光ファイバの前記コアの前記第１の面に光学的に結合され、駆動されているとき、前記第１の順方向光信号を前記コアの前記第１の面に放射する第１の発光器と、
前記光ファイバの前記コアの前記第１の面に光学的に結合され、駆動されているとき、前記第２の順方向光信号を前記コアの前記第１の面に放射する第２に発光器と、
を備える、請求項１に記載の双方向ＨＤＣＰベースデータ伝送装置。
【請求項３】
前記順方向伝送モジュールは、前記光ファイバの前記コアの前記第１の面に光学的に結合され、前記光ファイバを介して送信される前記保護方式光信号を受信する第１の光検出器をさらに備える、請求項２に記載の双方向ＨＤＣＰベースデータ伝送装置。
【請求項４】
前記逆方向伝送モジュールは、
前記光ファイバの前記コアの前記第２の面に光学的に結合され、駆動されているとき、前記保護方式光信号を前記コアの前記第２の面に放射する第３の発光器と、
前記光ファイバの前記コアの前記第２の面に光学的に結合され、前記光ファイバを介して送信された前記第１の順方向光信号及び前記第２の順方向光信号を受信する第２の光検出器と、
を備える、請求項３に記載の双方向ＨＤＣＰベースデータ伝送装置。
【請求項５】
前記第１の順方向光信号の周波数はＧＨｚ範囲内にあり、前記第２の順方向光信号の周波数はＧＨｚ範囲内にあり、且つ前記第１の順方向光信号の周波数と異なり、前記保護方式光信号の周波数はＭＨｚ範囲内にある、請求項４に記載の双方向ＨＤＣＰベースデータ伝送装置。
【請求項６】
前記第１の順方向光信号及び前記第２の順方向光信号は、変調レベル１ＧＨｚ以上で８００ｎｍ〜１６００ｎｍの範囲内にあり、前記保護方式光信号は、変調レベル１０ＭＨｚ以下で４００ｎｍ〜７５０ｎｍの範囲内にある、請求項５に記載の双方向ＨＤＣＰベースデータ伝送装置。
【請求項７】
前記第１の発光器は第１のレーザダイオードであり、前記第２の発光器は第２のレーザダイオードであり、前記第３の発光器は発光ダイオードである、請求項４に記載の双方向ＨＤＣＰベースデータ伝送装置。
【請求項８】
前記少なくとも１つの逆方向光信号は制御光信号も含み、前記逆方向伝送モジュールは、前記光ファイバの前記コアの前記第２の面に光学的に結合され、駆動されているとき、前記制御光信号を前記コアの前記第２の面に放射する第４の発光器をさらに備え、前記制御光信号は、次に、前記光ファイバを介して送信され、前記第１の光検出器は、前記光ファイバを介して送信された前記制御光信号も受信する、請求項４に記載の双方向ＨＤＣＰベースデータ伝送装置。
【請求項９】
第１の面及び第２の面を有するコアを備える光ファイバを使用する双方向ＨＤＣＰベースデータ伝送装置であって、
順方向伝送モジュールであって、
ＨＤＣＰデータに関連する少なくとも２つの順方向電気信号を受信し、前記少なくとも２つの順方向電気信号を直列順方向電気信号に変換する第１の処理装置、
前記第１の処理装置に電気的に接続されるとともに、前記光ファイバの前記コアの前記第１の面に光学的に結合され、前記直列順方向電気信号に従って前記第１の処理装置によって駆動され、順方向光信号を前記コアの前記第１の面に放射する第１の発光器であって、前記順方向光信号は、次に、前記光ファイバを介して送信される、第１の発光器、及び
前記第１の処理装置に電気的に接続されるとともに、前記光ファイバの前記コアの前記第１の面に光学的に結合される第１の光検出器、
を備える順方向伝送モジュールと、
逆方向伝送モジュールであって、
前記光ファイバの前記コアの前記第２の面に光学的に結合され、前記光ファイバを介して送信された前記順方向光信号を受信し、前記順方向光信号を前記直列順方向電気信号に変換する第２の光検出器、
該第２の光検出器に電気的に接続され、前記直列順方向電気信号を受信し、前記直列順方向電気信号を解釈して、前記ＨＤＣＰデータに関連する前記少なくとも２つの順方向電気信号にし、少なくとも１つの逆方向電気信号を受信し、前記少なくとも１つの逆方向電気信号を直列逆方向電気信号に変換する第２の処理装置、及び
該第２の処理装置に電気的に接続されるとともに、前記光ファイバの前記コアの前記第２の面に光学的に結合され、前記直列逆方向電気信号に従って前記第２の処理装置によって駆動され、逆方向光信号を前記コアの前記第２の面に放射する第２の発光器であって、前記逆方向光信号は、次に、前記光ファイバを介して送信される、第２の発光器、
を備える逆方向伝送モジュールと、
を備え、
前記第１の光検出器は、前記光ファイバを介して送信された前記逆方向光信号を受信し、該逆方向光信号を前記直列逆方向電気信号に変換し、
前記第１の処理装置は、前記直列逆方向電気信号を受信し、該直列逆方向電気信号を解釈して、前記ＨＤＣＰデータに対する保護方式電気信号を含む前記少なくとも１つの逆方向電気信号にする、双方向ＨＤＣＰベースデータ伝送装置。
【請求項１０】
前記第１の処理装置及び前記第２の処理装置はＭＵＸ／ＤＥＭＵＸである、請求項９に記載の双方向ＨＤＣＰベースデータ伝送装置。
【請求項１１】
前記第１の発光器は第１のレーザダイオードであり、前記第２の発光器は第２のレーザダイオードである、請求項９に記載の双方向ＨＤＣＰベースデータ伝送装置。
【請求項１２】
前記少なくとも１つの逆方向電気信号は制御電気信号も含む、請求項９に記載の双方向ＨＤＣＰベースデータ伝送装置。
【発明の詳細な説明】
【技術分野】
【０００１】
本発明は、１本の光ファイバのみを使用するデータ伝送装置に関し、特に、双方向ＨＤＣＰベースのデータ伝送装置に関する。
【背景技術】
【０００２】
ＨＤＣＰ（高帯域幅デジタルコンテンツ保護）は、ＤＶＩ（デジタルビジュアルインタフェース）又はＨＤＭＩ（高精細マルチメディアインタフェース）接続を介して伝送されるデジタルエンターテイメントを違法コピーから保護するためにインテル社（Ｉｎｔｅｌ  Ｃｏｒｐｏｒａｔｉｏｎ）によって開発されたデジタル権利管理仕様である。ＨＤＣＰ仕様は、デジタルエンターテイメントコンテンツをＤＶＩ／ＨＤＭＩ準拠デジタルディスプレイ（例えば、高精細テレビ又はプラズマ、ＬＣＤ、及び／又はＤＬＰ等のフラットパネル）に対して送受信するためのロバストで費用効率的であり、且つトランスペアレントな方法を提供する。
【０００３】
一般に、ＨＤＣＰは、ビデオソースとデジタルディスプレイとの間でのデジタルコンテンツの伝送を暗号化する。且つ、ＨＤＣＰは、デジタルコンテンツそれ自体のコピー又は録画を防ぐようには設計されず、むしろ、伝送中にコンテンツの保全性を保護するように設計される。ビデオソース又は送信機は、例えば、ＤＶＤプレーヤ、コンピュータ、又はセットアップボックスであることができる。デジタルディスプレイ又は受信機は、例えば、デジタルテレビ、モニタ、又はプロジェクタであることができる。ＨＤＣＰの実施には、秘密鍵セットを有するＨＤＣＰ対応装置が必要である。認証中、受信側装置は、鍵を承認した後でのみコンテンツを受け入れる。デジタルコンテンツをさらに保護するために、送信機及び受信機は、伝送全体を通して常時チェックされる共有秘密鍵を生成する。認証が確立された後、送信機はデータを暗号化し、復号化のために受信機に送信する。
【０００４】
デジタルコンテンツの高帯域幅伝送は、通常、２つの手段、すなわち、被覆銅線（同軸ケーブル等）又は光ファイバケーブルのうちの一方によって達成される。第１世代のＨＤＣＰ伝送システムは、ＤＶＩケーブル又はＨＤＭＩケーブル等のパラレル被覆銅線ケーブルを使用することで知られていた。
【０００５】
しかし、この種のケーブルの帯域幅はデータ伝送に制限を有する。伝送距離が長い場合、被覆銅線ケーブルのコストが増大し、伝送されるデータは急速に減衰する。このことを鑑みて、複数のパラレル光ファイバリンクが送信機と受信機との間に導入された。従来技術による光学システムは、通常、ＨＤＣＰ用途に少なくとも２つの光ファイバリンクを採用する。例えば、４ファイバモジュール構成は、３つの順方向チャネル及び１つの逆方向チャネルを有し、４つのレーザ又は他の同様の光源、４つの光ファイバリンク、及び４つの受信機を必要とする。同様に、６ファイバモジュール構成は、５つの順方向チャネル及び１つの逆方向チャネルを有し、６つのレーザ、６つの光ファイバリンク、及び６つの受信機を必要とする。構成の用途の距離が長い場合、複数のパラレル光ファイバのコストが問題になり、複数のパラレル光ファイバの構成及び保守の負担を増大させなければならない。
【発明の開示】
【発明が解決しようとする課題】
【０００６】
したがって、本発明の一範囲は、１つの光ファイバを介してのみデータを伝送するデータ伝送装置を提供することである。データ伝送装置の双方向データ伝送は、ＨＤＣＰベースであり、それにより、光学装置の数量及びコストを低減して、光ファイバの構成及び保守を低減することができる。
【課題を解決するための手段】
【０００７】
本発明の好ましい実施形態の光ファイバを使用する双方向ＨＤＣＰベースデータ伝送装置によれば、光ファイバは、第１の面及び第２の面を有するコアを含む。双方向ＨＤＣＰベースデータ伝送装置は、順方向伝送モジュール及び逆方向伝送モジュールを含む。順方向伝送モジュールは、光ファイバのコアの第１の面に光学的に結合される。順方向伝送モジュールは、駆動しているときに、少なくとも２つの順方向光信号をコアの第１の面内に放射するために使用される。次に、少なくとも２つの順方向光信号は、光ファイバを介して送信される。少なくとも２つの順方向光信号のうちの一方には、ＨＤＣＰデータが関連付けられる。逆方向伝送モジュールは、光ファイバのコアの第２の面に光学的に結合される。逆方向伝送モジュールは、駆動されているときに、光ファイバを介して送信された少なくとも２つの順方向光信号を受信し、少なくとも１つの逆方向光信号をコアの第２の面内に放射するために使用される。次に、少なくとも１つの逆方向光信号は、光ファイバを介して送信される。少なくとも１つの逆方向光信号には、ＨＤＣＰデータが関連付けられる。順方向伝送モジュールは、光ファイバを介して送信された少なくとも１つの逆方向光信号も受信する。
【０００８】
本発明の別の好ましい実施形態の光ファイバを使用する双方向ＨＤＣＰベースデータ伝送装置によれば、光ファイバは、第１の面及び第２の面を有するコアを含む。双方向ＨＤＣＰベースデータ伝送装置は、順方向伝送モジュール及び逆方向伝送モジュールを含む。順方向伝送モジュールは、第１の処理装置、第１の発光器、及び第１の光検出器を含む。第１の処理装置は、ＨＤＣＰデータに関連する少なくとも２つの順方向電気信号を受信し、少なくとも２つの順方向電気信号を直列順方向電気信号に変換するために使用される。第１の発光器は、第１の処理装置に電気的に結合されるとともに、光ファイバのコアの第１の面に光学的に結合される。第１の発光器は、直列順方向電気信号により駆動され、順方向光信号をコアの第１の面内に放射するために使用される。次に、順方向光信号は光ファイバを介して送信される。第１の光検出器は、第１の処理装置に電気的に結合され、光ファイバのコアの第１の面に光学的に結合される。逆方向伝送モジュールは、第２の光検出器、第２の処理装置、及び第２の発光器を含む。第２の光検出器は、光ファイバのコアの第２の面に光学的に結合される。第２の光検出器は、光ファイバを介して送信された順方向光信号を受信し、順方向光信号を直列順方向電気信号に変換するために使用される。第２の処理装置は、第２の光検出器に電気的に接続されて、直列順方向電気信号を受信し、直列順方向電気信号を解釈して、ＨＤＣＰデータに関連する少なくとも２つの順方向電気信号にする。第２の処理装置はまた、少なくとも１つの逆方向電気信号を受信し、少なくとも１つの逆方向電気信号を直列逆方向電気信号に変換する。第２の発光器は、第２の処理装置に電気的に接続されるとともに、光ファイバのコアの第２の面に光学的に結合される。第２の発光器は、直列逆方向電気信号により駆動され、逆方向光信号をコアの第２の面に放射するために使用される。次に、逆方向光信号は、光ファイバを介して送信される。第１の光検出器は、光ファイバを介して送信された逆方向光信号を受信し、逆方向光信号を直列逆方向電気信号に変換する。第１の処理装置は、直列逆方向電気信号を受信し、直列逆方向電気信号を解釈して少なくとも１つの逆方向電気信号にする。少なくとも２つの順方向電気信号及び少なくとも１つの逆方向電気信号のうちの１つは、ＨＤＣＰデータに対する保護方式電気信号を含む。
【０００９】
したがって、本発明によるデータ伝送装置は、１本の光ファイバを介してのみデータを伝送する。データ伝送装置の双方向データ伝送は、ＨＤＣＰベースであり、そのため、光学装置のコストを低減して、光ファイバの構成及び保守を低減することができる。さらに、本発明は、採用される発光器の数量により、双方向対称伝送モード又は双方向非対称モードで使用することができる。さらに、発光器を光ファイバに都合良く光学的に結合するために、本発明は、１つのみの発光器を使用してデータを選択的に伝送することが可能である。
【００１０】
本発明の利点及び精神は、添付図面と共に以下の詳説により理解することができる。
【発明を実施するための最良の形態】
【００１１】
本発明の範囲は、双方向ＨＤＣＰベースデータ伝送装置を提供することである。本発明による双方向ＨＤＣＰベースデータ伝送装置は、１本のみの光ファイバを介してデータを伝送し、それにより、光学装置の数量及びコストを低減して、光ファイバの構成及び保守を低減することができる。本発明の精神及び特徴を以下の好ましい実施形態によって詳細に説明する。
【００１２】
図１を参照されたい。図１は、本発明の好ましい実施形態による双方向ＨＤＣＰベースデータ伝送装置を示す概略図である。図１に示すように、本発明の好ましい実施形態による双方向ＨＤＣＰベースデータ伝送装置１は、光ファイバ１２を使用する。光ファイバ１２は、第１の面１２２２及び第２の面１２２４を有するコア１２２を含む。双方向ＨＤＣＰベースデータ伝送装置１は、順方向伝送モジュール１４及び逆方向伝送モジュール１６を含む。
【００１３】
図１に示すように、順方向伝送モジュール１４は、光ファイバ１２のコア１２２の第１の面１２２２に光学的に結合される。逆方向伝送モジュール１６は、光ファイバ１２のコア１２２の第２の面１２２４に光学的に結合される。
【００１４】
図１に示すように、順方向伝送モジュール１４は、駆動されているときに、コア１２２の第１の面１２２２内に少なくとも２つの順方向光信号を放射するために使用される。次に、少なくとも２つの順方向光信号は、光ファイバ１２を介して送信される。少なくとも２つの順方向光信号のうちの一方は、ＨＤＣＰデータに関連付けられる。逆方向伝送モジュール１６は、駆動されているとき、光ファイバ１２を介して送信された少なくとも２つの順方向光信号を受信し、少なくとも１つの逆方向光信号をコア１２２の第２の面１２２４内に放射するために使用される。次に、少なくとも１つの逆方向光信号は、光ファイバ１２を介して送信される。順方向伝送モジュール１４はまた、光ファイバ１２を介して送信された少なくとも１つの逆方向光信号を受信し、少なくとも１つの逆方向光信号は、ＨＤＣＰデータに対する保護方式光信号１６２２を含む。
【００１５】
実際用途では、双方向ＨＤＣＰベースデータ伝送装置１の順方向伝送モジュール１４は、オーディオ・高精細（ＨＤ）映像メディエータ（ｍｅｄｉａｔｏｒ）に含めることができ、逆方向伝送モジュール１６は、高精細表示パネル・スピーカシステムに含めることができる。ホームエンターテイメントシステム用途では、例えば、オーディオ・高精細映像メディエータはＤＶＤプレーヤ、コンピュータ、又はセットトップボックスであることができ、高精細表示パネル・スピーカシステムは高精細テレビ又はデジタルテレビ、モニタ、又はプロジェクタであることができる。ユーザは、システムを使用して映画、音楽等を再生することができる。
【００１６】
一般に、オーディオ・高精細映像メディエータは、コンテンツ保護されたデジタルオーディオ及び／又は映像データを出力することができる任意の装置又はシステムであることができ、高精細表示パネル・スピーカシステムは、オーディオ・高精細映像メディエータから送信されるデジタルコンテンツを表示し、且つ／又はその音を出すことができる任意の装置又はシステムであることができる。オーディオコンテンツは、例えば、音楽、映像サウンドトラック、オーディオブック、マシンメッセージ（例えば、マシン−マシン通信用の符号化バイナリメッセージ）及び人間のメッセージを含む。映像コンテンツは、デジタル映像並びにプレゼンテーションスライド、グラフィカルイメージ、及びデジタルアート等の他のビジュアルコンテンツを含む。
【００１７】
図２Ａを参照されたい。図２Ａは、図１の順方向伝送モジュール１４を示す概略図である。図２Ａに示すように、一実施形態では、少なくとも２つの順方向光信号は、第１の順方向光信号１４２２及び第２の順方向光信号１４４２を含む。順方向伝送モジュール１４は、第１の発光器１４２及び第２の発光器１４４を含む。
【００１８】
図２Ａに示すように、第１の発光器１４２は、光ファイバ１２のコア１２２の第１の面１２２２に光学的に結合される。第１の発光器１４２は、駆動されているとき、コア１２２の第１の面１２２２内に第１の順方向光信号１４２２を放射するために使用される。同様に、第２の発光器１４４は、光ファイバ１２のコア１２２の第１の面１２２２に光学的に結合される。第２の発光器１４４は、駆動されているときに、第２の順方向光信号１４４２をコア１２２の第２の面１２２２内に放射するために使用される。
【００１９】
図２Ａに示すように、実施形態では、順方向伝送モジュール１４は第１の光検出器１４６をさらに含む。第１の光検出器１４６は、光ファイバ１２のコア１２２の第１の面１２２２に光学的に結合される。第１の光検出器１４６は、光ファイバ１２を介して送信された保護方式光信号１６２２を受信するために使用される。
【００２０】
伝送される際のデジタルオーディオ／映像コンテンツの保全性を保護するために、一実施形態では、第１の順方向光信号１４２２、第２の順方向光信号１４４２、及び保護方式光信号１６２２のフォーマットは、ＨＤＣＰ仕様に準拠する。それにより、伝送される際のデジタルオーディオ／映像コンテンツの保全性を、ＨＤＣＰの認証ハンドシェイク及び暗号化によって保護することができる。
【００２１】
図２Ｂを参照されたい。図２Ｂは、図１の逆方向伝送モジュール１６を示す概略図である。図２Ｂに示すように、一実施形態では、逆方向伝送モジュール１６は、第３の発光器１６２及び第２の光検出器１６４を含む。
【００２２】
図２Ｂに示すように、第３の発光器１６２は、光ファイバ１２のコア１２２の第２の面１２２４に光学的に結合される。第３の発光器１６２は、駆動されているとき、保護方式光信号１６２２をコア１２２の第２の面１２２４内に放射するために使用される。第２の光検出器１６４は、光ファイバ１２のコア１２２の第２の面１２２４に光学的に結合される。第２の光検出器１６４は、光ファイバ１２を介して送信された第１の順方向光信号１４２２及び第２の順方向光信号１４４２を受信するために使用される。
【００２３】
一実施形態では、第１の順方向光信号１４２２及び第２の順方向光信号１４４２は、変調レベル１ＧＨｚ以上で８００ｎｍ〜１６００ｎｍの範囲内にあり、保護方式光信号１６２２は、変調レベル１０ＭＨｚ以下で４００ｎｍ〜７５０ｎｍの範囲内にある。したがって、ＨＤＣＰは、ファイバの高速（例えば、＞１ギガビット／秒）順方向伝送を使用して、非圧縮デジタルオーディオコンテンツ及び／又は映像コンテンツを送出するために使用される。
【００２４】
実施形態では、相対的に、第１の順方向光信号１４２２の周波数はＧＨｚ範囲内にあり、第２の順方向光信号１４４２の周波数はＧＨｚ範囲内にあり、且つ第１の順方向光信号１４２２の周波数と異なり、保護方式光信号１６２２の周波数はＭＨｚ範囲内にある。したがって、第１の発光器１４２は第１のレーザダイオードであることができ、第２の発光器１４４は第２のレーザダイオードであることができ、第３の発光器１６２は発光ダイオードであることができる。
【００２５】
そして、実施形態では、第１のレーザダイオードは、波長１３１０ｎｍを有するレーザダイオードを採用することができ、第２のレーザダイオードは、波長１５５０ｎｍを有するレーザダイオードを採用することができる。
【００２６】
光ファイバ１２を介して追加の制御信号を送信するために、一実施形態では、逆方向光信号は、制御光信号（テレビ遠隔制御の制御信号等）を含むことができる。逆方向伝送モジュール１６は、第４の発光器を選択的にさらに含むことができる。第４の発光器は、光ファイバ１２のコア１２２の第２の面１２２４に光学的に結合される。第４の発光器は、駆動されているとき、制御光信号をコア１２２の第２の面１２２４内に放射するために使用される。次に、制御光信号は光ファイバ１２を介して送信される。それにより、第１の光検出器１４６は、光ファイバ１２を介して送信された制御光信号を受信する。
【００２７】
さらに、図３を参照されたい。図３は、本発明の別の好ましい実施形態による双方向ＨＤＣＰベースデータ伝送装置１を示す概略図である。図３に示すように、本発明による双方向ＨＤＣＰベースデータ伝送装置１は、光ファイバ３２を使用する。光ファイバ３２は、第１の面３２２２及び第２の面３２２４を有するコア３２２を含む。双方向ＨＤＣＰベースデータ伝送装置１は、順方向伝送モジュール３４及び逆方向伝送モジュール３６を含む。
【００２８】
図３に示すように、順方向伝送モジュール３４は、第１の処理装置３４２、第１の発光器３４４、及び第１の光検出器３４６を含む。逆方向伝送モジュール３６は、第２の処理装置３６２、第２の発光器３６４、及び第２の光検出器３６６を含む。
【００２９】
また、図３に示すように、第１の処理装置３４２は、ＨＤＣＰデータに関連する少なくとも２つの順方向電気信号４２を受信し、少なくとも２つの順方向電気信号４２を直列順方向電気信号４４に変換するために使用される。
【００３０】
また、図３に示すように、第１の発光器３４４は、第１の処理装置３４２に電気的に接続されるとともに、光ファイバ３２のコア３２２の第１の面３２２２に光学的に結合される。第１の発光器３４４は、直列順方向電気信号４４に従って第１の処理装置３４２により駆動され、順方向光信号４６をコア３２２の第１の面３２２２に放射するために使用される。次に、順方向光信号４６は、光ファイバ３２を介して送信される。
【００３１】
また、図３に示すように、第２の光検出器３６６は、光ファイバ３２のコア３２２の第２の面３２２４に光学的に結合される。第２の光検出器３６６は、光ファイバ３２を介して送信された順方向光信号４６を受信し、順方向光信号４６を直列順方向電気信号４４に変換するために使用される。
【００３２】
また、図３に示すように、第２の処理装置３６２は、第２の光検出器３６６に電気的に接続される。第２の処理装置３６２は、直列順方向電気信号４４を受信し、直列順方向電気信号４４をＨＤＣＰデータに関連する少なくとも２つの順方向電気信号４２に変換するために使用される。さらに、第２の処理装置３６２は、少なくとも１つの逆方向電気信号５２も受信し、少なくとも１つの逆方向電気信号５２を直列逆方向電気信号５４に変換する。
【００３３】
また、図３に示すように、第２の発光器３６４は、第２の処理装置３６２に電気的に接続されるとともに、光ファイバ３２のコア３２２の第２の面３２２４に光学的に結合される。第２の発光器３６４は、直列逆方向電気信号５４に従って第２の処理装置３６２により駆動され、逆方向光信号５６をコア３２２の第２の面３２２４内に放射するために使用される。次に、逆方向光信号５６は、光ファイバ３２を介して送信される。
【００３４】
また、図３に示すように、第１の光検出器３４６は、第１の処理装置３４２に電気的に接続されるとともに、光ファイバ３２のコア３２２の第１の面３２２２に光学的に結合される。第１の光検出器３４６は、光ファイバ３２を介して送信された逆方向光信号５６を受信し、逆方向光信号５６を直列逆方向電気信号５４に変換するために使用される。
【００３５】
また、図３に示すように、第１の処理装置３４２は、直列逆方向電気信号５４を受信し、直列逆方向電気信号５４を解釈して少なくとも１つの逆方向電気信号５２にする。少なくとも１つの逆方向電気信号５２は、ＨＤＣＰデータに対する保護方式電気信号を含む。
【００３６】
一実施形態では、第１の処理装置３４２及び第２の処理装置３６２はＭＵＸ／ＤＥＭＵＸである。
【００３７】
さらに、一実施形態では、第１の光検出器１４６及び第２の光検出器１６４のアクティブエリアは、約８０〜１００ミクロンにわたり（例えば、方形、円形、又は不規則形）、光ファイバ１２のコア１２２の直径は約６２．５ミクロンである。第１の光検出器１４６及び第２の光検出器１６４のアクティブエリアがより大きくても（例えば、１００〜５００ミクロン以上にわたっても）よいことに留意されたい。
【００３８】
さらに、ギガビット／秒範囲を使用してデータ（非圧縮映像ストリーム等）を送信するために、本発明の双方向ＨＤＣＰベースデータ伝送装置１がデータ伝送にガラス光ファイバを採用できることに留意されたい。
【００３９】
本発明の双方向ＨＤＣＰベースデータ伝送装置１を他の保護方式用途に適用可能なことは確かである。例えば、順方向伝送モジュール１４をペイロードデータの送出に使用してもよく、その一方で逆方向伝送モジュール１６を伝送統計（例えば、送出されるペイロード量及び伝送時間）及び顧客データ（例えば、クレジットカード情報、映画選択、及び加入者フィードバック）等のリンク管理又はオーバーヘッド情報の送出に使用してもよい。
【００４０】
従来技術と比較して、本発明によるデータ伝送装置は、１本の光ファイバのみを介してデータを伝送する。データ伝送装置の双方向データ伝送はＨＤＣＰベースであるため、それにより、光学装置の品質及びコストを低減し、光ファイバの構成及び保守を低減することができる。さらに、本発明は、２つ、３つ、又は４つ以上の発光器を、採用される発光器の数量により、双方向対称伝送モード又は双方向非対称モードで適用することができる。したがって、伝送する必要のあるデータが大きくなる場合に、発光器によってのみデータを伝送することの不十分性の問題が解決される。さらに、発光器を光ファイバに都合良く光学的に結合するために、本発明は、１つのみの発光器を使用してのデータ伝送にＭＵＸ／ＤＥＭＵＸをさらに使用することができる。
【００４１】
願わくは、上記例及び説明を使用して本発明の特徴及び精神を十分に説明した。当業者は、本発明の教示を保持しながら、装置の多くの変更及び代替を行い得ることを容易に観察するであろう。したがって、上記開示は、添付の特許請求の範囲によってのみ制限されるものとして解釈されるべきである。
【図面の簡単な説明】
【００４２】
【図１】本発明の好ましい実施形態による双方向ＨＤＣＰベースデータ伝送装置を示す概略図である。
【図２Ａ】図１における順方向伝送モジュールを示す概略図である。
【図２Ｂ】図１における逆方向伝送モジュールを示す概略図である。
【図３】本発明の別の好ましい実施形態による双方向ＨＤＣＰベースデータ伝送装置を示す概略図である。
【符号の説明】
【００４３】
１  双方向ＨＤＣＰベースデータ伝送装置
１２、３２  光ファイバ
１４、３４  順方向伝送モジュール
１６、３６  逆方向伝送モジュール
４２  順方向電気信号
４４  直列順方向電気信号
４６  順方向光信号
５２  逆方向電気信号
５４  直列逆方向電気信号
５６  逆方向光信号
１２２、３２２  コア
１４２  第１の発光器
１４４  第２の発光器
１４６  第１の光検出器
１６２  第３の発光器
１６４  第２の光検出器
３４２  第１の処理装置
３４４  第１の発光器
３４６  第１の光検出器
３６２  第２の処理装置
３６４  第２の発光器
３６６  第２の光検出器
１２２２、３２２２  第１の面
１２２４、３２２４  第２の面
１４２２  第１の順方向光信号
１４４２  第２の順方向光信号
１６２２  保護方式光信号
【図２Ａ】
2009105886.tif 000003
【図２Ｂ】
2009105886.tif 000004
【図１】
2009105886.tif 000005
【図３】
2009105886.tif 000006